(57)【要約】【課題】コロナ放電を行う高電圧電極装置の脱臭効果持続とオゾン臭抑制を両立する冷蔵庫を提供する。【解決手段】吐出冷気通路６７内に配置される針状電極を備えた高電圧電極装置７０の運転・停止を冷蔵室５２の冷却ファン５７の運転に連動して行うので、発生するイオン及びオゾンを効率的に拡散させることができ、冷蔵室５２全体で脱臭効果を維持できる。またオゾンの濃度が上昇するのも抑えられ、オゾン臭を抑制できる。【選択図】図５
2011002227.tif 000002
【特許請求の範囲】
【請求項１】
冷却器で生成された冷気を循環させる冷気通路と、前記冷気通路内に備えた強制通風装置と、前記冷気通路内に設けたコロナ放電を行う高電圧電極装置と、前記強制通風装置の運転、停止に連動して前記高電圧電極装置の運転を制御する制御手段とを備えたことを特徴とする冷蔵庫。
【請求項２】
冷蔵領域と、冷凍領域とをそれぞれ独立して冷却する冷却器および強制通風装置と、前記冷蔵領域内に設けたコロナ放電を行う高電圧電極装置と、前記強制通風装置の運転、停止に連動して前記高電圧電極装置の運転を制御する制御手段を備えたことを特徴とする冷蔵庫。
【請求項３】
冷却器で生成された冷気を循環させる冷気通路に設けた冷気量調整装置と、前記冷気通路内に設けたコロナ放電を行う高電圧電極装置と、前記冷気量調整装置の開閉に連動して前記高電圧電極装置を運転、停止させる制御手段を備えたことを特徴とする冷蔵庫。
【請求項４】
前記冷気量調整装置の開放時に連動して前記高電圧電極装置を運転させる制御手段を備えたことを特徴とする請求項３に記載の冷蔵庫。
【請求項５】
前記高電圧電極装置の運転を時間的な間欠運転とする制御手段を備えたことを特徴とする請求項１から請求項４のいずれか一項に記載の冷蔵庫。
【請求項６】
前記高電圧電極装置への通電時間が所定時間以上連続して続く冷却条件となる場合には高電圧電極装置を時間的な間欠運転とする制御手段を備えたことを特徴とする請求項１から請求項４のいずれか一項に記載の冷蔵庫。
【請求項７】
冷蔵領域内に温度検知手段を設け、前記温度検知手段により検知した温度Ｔが所定温度Ｔ１と比較してＴ≧Ｔ１で冷蔵領域に強制通風する強制通風装置がＯＮ時の場合は高電圧電極装置を連続運転とし、Ｔ＜Ｔ１で冷蔵領域に強制通風する強制通風装置がＯＮ時の場合は高電圧電極装置を間欠運転としたことを特徴とする請求項１から請求項４のいずれか一項に記載の冷蔵庫。
【請求項８】
冷蔵領域内に湿度検知手段を設け、この湿度検知手段により検知した湿度Ｓが所定湿度Ｓ１と比較してＳ≧Ｓ１で冷蔵領域に強制通風する強制通風装置がＯＮ時の場合は高電圧電極装置を連続運転とし、Ｓ＜Ｓ１で冷蔵領域に強制通風する強制通風装置がＯＮ時の場合は高電圧電極装置を間欠運転としたことを特徴とする請求項１から請求項４のいずれか一項に記載の冷蔵庫。
【発明の詳細な説明】
【技術分野】
【０００１】
本発明は、冷蔵庫の冷蔵室に備えられたマイナスイオン発生装置の制御に関するものである。
【背景技術】
【０００２】
従来の冷蔵庫としては、例えば特許文献１に示されるものがある。以下、図面を参照しながら上記従来の冷蔵庫を説明する。
【０００３】
図２０〜図２３は従来の冷蔵庫の断面図である。
【０００４】
図２０、図２１において、１はチルドケースであり、冷蔵室２の一部に区画された低温室３内を前後に摺動する前方及び上方を開口している。
【０００５】
４はそのチルドケース１外周を形成し庫内に固定設置された低温ボックスである。５はチルドケース１の前方開口部を閉塞するフタ体である。６は前記チルドケース１の上方開口部を閉塞する上面冷却板で、前記低温ボックス４の外周フランジ部に取り付け固定されている。
【０００６】
７は低温ボックス４背面部に設置された低温ボックス４専用の脱臭ボックスで、脱臭ボックス７内にはチルドケース１内の空気を強制循環させる送風機８、ファン９と脱臭用触媒１０、オゾン発生用電源電極１１が設置されている。低温ボックス４及びチルドケース１には吹出口穴部１２と吸込口穴部１３があり、１４は中仕切壁で冷凍室１５と冷蔵室２を区画し、冷凍室１５の床面を形成する仕切壁１４ａと断熱部材１４ｂにより形成されている。
【０００７】
冷蔵室２への冷気通路１７の冷気吐出口１７ａよりダンパーサーモスタット１８で制御された冷気の一部が低温室３を冷却するための冷気通路１９を前記区画壁１４内に構成し、冷蔵室２の天井面１４ｃを一部開口した冷気吐出口２０より吹き出し、冷蔵室２天井面と、前記上面冷却板６の間に冷気を流し、上面より間接的に冷却する。２１は冷却器、２２は冷凍室用庫内ファンである。
【０００８】
次に作用について説明する。冷却器２１により冷却された冷気は、庫内ファン２２で送風され冷凍室１５に吹き出される。その冷気の一部は、冷蔵室２への冷気風路１７を介して冷気吐出口１７ａへ導かれるその冷気吐出口１７ａを開閉するダンパーサーモスタット１８により冷気量を制御して、冷蔵室２内を所定温度３℃に冷却する。
【０００９】
一方、その冷気の一部は区画壁１４内に設けられた冷気通路１９を介して、冷蔵室２、天井面１４ｃを一部開口した冷気吐出口２０より吹出し、親水性多孔質樹脂材２３によって形成された上面冷却板６の上側に冷気が流れ上面より間接的に低温室３内を所定温度０℃に冷却する。
【００１０】
また、チルドケース１と低温ボックス４間の背面、下面に冷気通路２４を設け、上面冷却板６を冷却後、冷気の一部が前記冷気通路２４に流れ上面、背面、底面より冷却を行う。最初に冷気を流す上面が最も低温度となるよう構成しているので下面や背面の温度はあまり低温度とならず食品が凍結することはない。
【００１１】
次に低温室３内は低温ケース１の前面開口部はフタ体５により閉塞され、上面開口部は
親水性多孔質樹脂材２３によって形成された上面冷却板６で閉塞されているため、冷気はチルドケース１には直接は入らない密閉構造となっているので食品をラップなしで保存すると食品からの若干の水分の蒸散でチルドケース１内は高湿度となる。
【００１２】
食品をラップなしで保存した場合の食品から発生する臭いは、吸込口穴部１３より送風機８及びファン９により強制的に脱臭ボックス７内に循環され、脱臭触媒１０、オゾン発生電源電極１１により臭いのない分子に分析され吹出口穴部１２より再びチルドケース１内に循環される。
【００１３】
次にこの発明の脱臭装置の運転制御について説明する。図２２で冷蔵室などの扉開閉検出する手段としてスイッチなどの扉開閉検出装置２５があり、扉開閉の状態をマイクロコンピュータ２６に出力する。駆動部２７が通電されるかはマイクロコンピュータ２６により決定され、脱臭装置７は運転される。
【００１４】
次に図２３を用いて脱臭装置７の運転決定手段２８の内容について制御ブロック図で説明する。扉開閉入力手段２９で扉が開状態になったことを検出し、扉開閉頻度積算手段３０で入力された扉の開信号を入力として単位時間ごとの扉開数を積算しておく。
【００１５】
扉開閉頻度時間検出手段３１で単位時間毎の扉開数を入力として頻繁な時間を検出し、脱臭装置運転決定手段３２で扉開閉が頻繁でよく食品が保存される時間に脱臭装置７を運転し、臭いの発生や食品への臭い移りを防止するように運転を決定するよう構成さている。
【先行技術文献】
【特許文献】
【００１６】
【特許文献１】特許第２６２１７３９号公報
【発明の概要】
【発明が解決しようとする課題】
【００１７】
しかしながら、上記従来例の構成では、冷蔵庫の扉開閉が頻繁な時、脱臭ボックス７が運転されることで臭い成分は酸化分解されるが、それ以外の時間はオゾンが発生されず臭い成分がチルドケース１内に拡がってしまう。
【００１８】
また、扉開閉が多いと脱臭ボックス７の運転が頻繁になり常にオゾンが出ることで食品臭とオゾン臭が混じり、比較的小さい容積のチルドケース１内に異臭が充満し、フタ体５を開いた時に異臭がすると共に、さらに異臭が冷蔵室２内に拡散し、冷蔵室２の食品や、庫内の壁面、棚に臭いが付くという課題を有していた。
【００１９】
本発明は上記従来の課題を解決するもので、冷蔵室の冷気搬送装置の運転に連動して、冷蔵室に設置されたコロナ放電を行う高電圧電極装置を運転することで冷蔵室内の脱臭効果持続とオゾン臭抑制を両立する冷蔵庫を提供することを目的としている。
【課題を解決するための手段】
【００２０】
従来の課題を解決するために、本発明の冷蔵庫は、冷却器で生成された冷気を循環させる冷気通路と、前記冷気通路内に備えた強制通風装置と、前記冷気通路内に設けたコロナ放電を行う高電圧電極装置と、前記強制通風装置の運転、停止に連動して前記高電圧電極装置の運転を制御する制御手段とを備えたものである。
【００２１】
また、本発明の冷蔵庫は、冷蔵領域と、冷凍領域とをそれぞれ独立して冷却する冷却器および強制通風装置と、前記冷蔵領域内に設けたコロナ放電を行う高電圧電極装置と、前
記強制通風装置の運転、停止に連動して前記高電圧電極装置の運転を制御する制御手段とを備えたものである。
【００２２】
また、本発明の冷蔵庫は、冷却器で生成された冷気を循環させる冷気通路に設けた冷気量調整装置と、前記冷気通路内に設けたコロナ放電を行う高電圧電極装置と、前記冷気量調整装置の開閉に連動して前記高電圧電極装置を運転、停止させる制御手段とを備えたものである。
【００２３】
これによって、高電圧電極装置が運転を強制通風装置もしくは冷気量調整装置と連動して運転制御することで、室内でのイオンによる脱臭効果を維持できる共に、室内のオゾンの濃度が上昇するのも抑えられ、オゾン臭が抑制できる。
【発明の効果】
【００２４】
本発明は、室内でのイオンによる脱臭効果を維持する冷蔵庫を提供することができる。
【図面の簡単な説明】
【００２５】
【図１】本発明の実施の形態１による冷蔵庫の断面図
【図２】同実施の形態の冷蔵庫の正面図
【図３】同実施の形態の冷蔵庫の要部正面図
【図４】同実施の形態の冷蔵庫の制御装置のブロック回路図
【図５】同実施の形態の冷蔵庫の制御装置のブロック図
【図６】同実施の形態の冷蔵庫のイオン発生装置の１つの運転制御のタイムチャート
【図７】同実施の形態の冷蔵庫のイオン発生装置の他の運転制御のタイムチャート
【図８】本発明の実施の形態２による冷蔵庫の断面図
【図９】同実施の形態の冷蔵庫の正面図
【図１０】同実施の形態の冷蔵庫の制御装置のブロック回路図
【図１１】同実施の形態の冷蔵庫の制御装置のブロック図
【図１２】同実施の形態の冷蔵庫のイオン発生装置の１つの運転制御のタイムチャート
【図１３】同実施の形態の冷蔵庫のイオン発生装置の他の運転制御のタイムチャート
【図１４】本発明の実施の形態３による冷蔵庫の制御装置のブロック回路図
【図１５】同実施の形態の冷蔵庫の制御装置のブロック図
【図１６】同実施の形態の冷蔵庫のイオン発生装置の運転制御のタイムチャート
【図１７】本発明の実施の形態４による冷蔵庫の制御装置のブロック回路図
【図１８】同実施の形態の冷蔵庫の制御装置のブロック図
【図１９】同実施の形態の冷蔵庫のイオン発生装置の運転制御のタイムチャート
【図２０】従来の冷蔵庫の冷蔵室側断面図
【図２１】従来の冷蔵庫の要部断面図
【図２２】従来の冷蔵庫の制御装置のブロック回路図
【図２３】従来の冷蔵庫の制御装置のブロック図
【発明を実施するための形態】
【００２６】
第１の発明は、冷凍システムの冷却器で生成された冷気により冷却される冷却室と、前記冷却室に冷気を循環させる冷気通路と、前記冷気通路内に備えた強制通風装置と、前記冷気通路のうち吐出冷気通路内に設けたコロナ放電を行う高電圧電極装置と、前記強制通風装置の運転，停止に連動して前記高電圧電極装置を運転，停止させる制御手段を備えたものであり、強制的な冷却気流が発生する時のみ、高電圧電極装置が運転されることで、室内でのイオンによる脱臭効果を維持できる共に、室内のオゾンの濃度が上昇するのも抑えられ、オゾン臭が抑制できる。
【００２７】
第２の発明は、冷蔵領域と、冷凍領域と、前記領域内をそれぞれ独立して冷却する冷却器および強制通風装置と、前記冷蔵領域内の吐出冷気通路内に設けたコロナ放電を行う高電圧電極装置と、前記冷蔵領域内の強制通風装置の運転，停止に連動して前記高電圧電極装置を運転，停止させる制御手段を備えたものであり、冷蔵領域を冷却する強制通風装置に連動して、イオン及びオゾンが発生し、かつ冷蔵領域内にのみに効率的に拡散させることができ、一般的に雑多な食品臭が混在し、臭気強度も高い冷蔵領域全体で食品や、内壁面、棚のイオンによる脱臭効果を維持できると共に、領域内のオゾンの濃度が上昇するのも抑えられ、オゾン臭が抑制できる。
【００２８】
第３の発明は、冷蔵領域と、冷凍領域と、前記両領域内を冷却する冷却器および強制通風装置と、前記冷蔵領域内の吐出冷気通路の入口に設けた冷気量調整装置と、前記吐出冷気通路内に設けたコロナ放電を行う高電圧電極装置と、前記強制通風装置の運転，停止に連動して前記高電圧電極装置を運転，停止させる制御手段を備えたものであり、冷気量調整装置により冷却器で冷却した冷気を冷蔵室に搬送する冷蔵庫において、強制通風装置の運転に連動して発生するイオン及びオゾンが冷気量調整装置の開放時に冷気流に伴って冷蔵領域内に供給され、冷蔵領域内に効率的に拡散させることができ、冷蔵領域全体で食品や、内壁面、棚のイオンによる脱臭効果を維持できると共に、庫内のオゾンの濃度が上昇するのも抑えられ、オゾン臭を抑制できる。
【００２９】
第４の発明は、冷蔵領域と、冷凍領域と、前記両領域内を冷却する冷却器および強制通風装置と、前記冷蔵領域内の吐出冷気通路の入口に設けた冷気量調整装置と、前記吐出冷気通路内に設けたコロナ放電を行う高電圧電極装置と、前記強制通風装置の運転時であって、前記冷気量調整装置の開放時に連動して前記高電圧電極装置を運転させる制御手段を備えたものであり、冷蔵領域内への強制的な冷気流が発生する場合にのみイオン及びオゾンが発生して供給され、冷蔵領域全体で食品や、内壁面、棚のイオンによる脱臭効果を無駄が無く維持できると共に、庫内のオゾンの濃度が上昇するのも抑えられ、オゾン臭を抑制できる。
【００３０】
第５の発明は、高電圧電極装置の運転を時間的な間欠運転とする制御手段を備えたものであり、外気温や庫内負荷及び設定される運転モードにより変化する冷蔵庫の冷却システムの運転状況の変動に対しても、イオン及びオゾンの発生量を大きな過不足なく安定して供給することができ、食品や、内壁面、棚のイオンによる脱臭効果を維持できると共に、庫内のオゾンの濃度の上昇も抑えられ、オゾン臭を低いレベルに抑制できる。
【００３１】
第６の発明は、高電圧電極装置への通電時間が所定時間以上連続して続く冷却条件となる場合には高電圧電極装置を時間的な間欠運転とする制御手段を備えたものであり、外気温や庫内負荷及び設定される運転モードにより、可変する冷蔵庫の冷却システムの運転に伴って開時間が可変する冷気量調整装置に連動して、イオン及びオゾンの発生量を過不足なく安定化して冷蔵領域内に拡散させることができ、冷却条件が変動しても冷蔵領域全体で食品や、内壁面、棚のイオンによる脱臭効果を維持できる共に、庫内のオゾンの濃度が上昇するのも抑えられ、オゾン臭を低いレベルに抑制できる。
【００３２】
第７の発明は、冷蔵領域内に温度検知手段を設け、前記温度検知手段により検知した温度Ｔが所定温度Ｔ１と比較してＴ≧Ｔ１で冷蔵領域に強制通風する強制通風装置がＯＮ時の場合は高電圧電極装置を連続運転とし、Ｔ＜Ｔ１で冷蔵領域に強制通風する強制通風装置がＯＮ時の場合は高電圧電極装置を間欠運転としたものであり、温度が上昇すると運転時間比率を上げ、温度が低下すると運転時間比率を下げるなどの運転時間制御や、温度が上昇すると連続運転し、温度が低下するとＯＮ／ＯＦＦ運転するなどの運転制御を行うことで、温度の増減に対し逆傾向となるオゾンの発生特性に合わせてオゾンの発生量を持続かつ一定化できる。
【００３３】
第８の発明は、冷蔵領域内に湿度検知手段を設け、この湿度検知手段により検知した湿度Ｓが所定湿度Ｓ１と比較してＳ≧Ｓ１で冷蔵領域に強制通風する強制通風装置がＯＮ時の場合は高電圧電極装置を連続運転とし、Ｓ＜Ｓ１で冷蔵領域に強制通風する強制通風装置がＯＮ時の場合は高電圧電極装置を間欠運転としたものであり、湿度が上昇すると運転時間比率を上げ、湿度が低下すると運転時間比率を下げるなどの運転時間制御や、湿度が上昇すると連続運転し、湿度が低下するとＯＮ／ＯＦＦ運転するなどの運転制御を行うことで、湿度の増減に対し逆傾向となるオゾンの発生特性に合わせてオゾンの発生量を持続かつ一定化すると共に、湿度の増減に対し同傾向となるイオンの発生特性に合わせてイオンの発生量を増加させることができる。
【００３４】
以下、本発明による冷蔵庫の実施の形態について、図面を参照しながら説明する。
【００３５】
（実施の形態１）
図１は、本発明の実施の形態１による冷蔵庫の断面図である。図２は、同実施の形態の冷蔵庫の正面図である。図３は同実施の形態の冷蔵庫の要部正面図である。図４は同実施の形態の冷蔵庫の制御装置のブロック回路図である。図５は同実施の形態の冷蔵庫の制御装置のブロック図である。図６は同実施の形態の冷蔵庫のイオン発生装置の運転のタイムチャートである。
【００３６】
図１，図２において、５１は冷蔵庫本体で、上部に冷蔵室５２を設け、５３は前記冷蔵室５２の下段に設けられた野菜室である。５４は新温度帯室であるチルド室であり、冷蔵室５２の下部に設けられ、室内を１℃から２℃に維持されている。冷蔵室５２，野菜室５３，チルド室５４により冷蔵領域を形成している。５５は冷蔵庫５１の最下部に備えた冷凍室であり冷凍領域を形成している。また、冷蔵領域と冷凍領域はそれぞれ冷気によって冷却される冷却室であるという共通項を有する。
【００３７】
５６は冷蔵室５２の背面に備えた冷蔵室用冷却器であり、冷蔵室冷却器５６上部で冷蔵室５２の上部には強制通風装置である冷蔵室ファン５７がある。５８は断熱仕切壁であり、冷蔵室空間と冷凍室空間を仕切っている。５９は冷凍室冷却器であり、冷凍室５５の背面に設置される。６０は冷凍室冷却器５９の上部に備えた強制通風装置である冷凍室ファンである。
【００３８】
冷蔵室５２の背面には吐出冷気通路６７を形成する冷気通路カバー６２が配置され、前記冷気通路カバー６２には複数個の吐出孔６３が形成されている。
【００３９】
また冷蔵室５２の天面には天面吐出通路６４が形成され、冷蔵室５２の開口部に向かって通路を形成し天面吐出孔６５を形成している。
【００４０】
冷蔵室５２には複数段に亘って棚６６が備えられている。６７は冷蔵室冷却器５６で生成した冷気を冷蔵室５２と野菜室５３へ導く吐出冷気通路であり、６８は野菜室５３の上部に形成され吐出冷気通路６７からの冷気で間接的に冷却させる冷却板である。
【００４１】
６９は吐出孔６３から吐出した冷気を吸込む吸込み孔である。７０は冷気吐出風路６７内に形成された高電圧電極装置としてのイオン発生装置である。
【００４２】
図３において、７０はイオン発生装置全体であり、高電圧発生回路（図示せず）と出力線７１、針状電極部７２で形成されている。
【００４３】
図４、図５において、１５１はファン運転信号を検知する回路などの冷蔵室ファン５７
のファン運転検出手段であり、１５２はマイクロコンピュータ７３などのイオン発生装置運転決定手段であり、１５３はイオン発生装置７０の運転用電圧回路などのイオン発生装置運転手段である。
【００４４】
以上のような構成において、次に動作を説明する。
【００４５】
冷蔵室冷却器５６で生成された冷気は冷蔵室ファン５７で強制通風され天面吐出通路６４と吐出冷気通路６７に分配される。吐出冷気通路６７を通過する冷気はイオン発生装置７０から出力され、針状電極部７２で放電して発生するイオンを一緒に含み各吐出孔６３から吐出される。そして食品の臭い成分を含んだ空気を取り込んで吸込み孔６９から吸込まれ、脱臭触媒（図示せず）で臭い成分を吸着し、脱臭される。
【００４６】
そして、清浄された空気は冷却器５６で熱交換し、再び冷蔵室ファン５７で強制循環され、上記の冷気循環を繰返す。
【００４７】
また吐出冷気通路６７は野菜室５３に連通し、冷却板６８上面に導かれ、冷却板６８を間接冷却することで野菜室５３内を冷却している。
【００４８】
また、冷凍室５５は冷凍室用冷却器５９からの冷気がファン６０で強制循環されて冷凍室５５を冷却する。
【００４９】
また、冷蔵室５２内は基本的に冷蔵室冷却器５６の蒸発温度と冷蔵室内温度との温度差を小さくすることや圧縮機ＯＦＦ時に冷蔵室ファン５７を運転させることで冷蔵室内を高湿に保存冷却している。このとき、図４、図５、図６で示すように、イオン発生装置７０を冷蔵室ファン５７と同期運転させている。これは、電極部７２はコロナ放電によってイオンを発生するがこの際オゾンも同時に発生する。すなわちイオンの発生を増大させるとオゾンの発生量も増大し、このためオゾンの不快な臭いや人体に悪影響を及ぼす可能性もあり、イオン発生装置７０の運転時間を冷蔵室ファン５７と連動して運転を行うことで、イオンは冷蔵室ファン５７が運転している時のみ連続的に発生し、かつ冷蔵室５２内に効率的に拡散させることができ、冷蔵室５２全体で食品や、通路カバー６２などの庫内壁面や、棚６６のイオンによる脱臭効果を維持できる共に、庫内のオゾンの濃度が上昇するのも抑えられ、オゾン臭抑制できる。
【００５０】
また、本形態の実施例の場合、冷蔵室ファン５７が運転時のみ常にイオン発生装置７０に通電し、停止時は通電しない。しかし、外気温の上昇や冷蔵庫５１内に入れられる食品の負荷及び設定される運転モードにより、冷蔵庫５１の冷却システムの運転に伴って運転時間が一定時間以上運転される場合、図７で示すように、冷蔵室ファン５７の運転に連動して、イオン発生装置７０をＯＮ／ＯＦＦを繰り返す間欠運転を行う。これによりイオン及びオゾンの発生量を持続かつ安定化でき、冷蔵室５２全体で食品や、通路カバー６２などの庫内壁面や、棚６６のイオンによる脱臭効果を維持できる共に、庫内のオゾンの濃度が上昇するのも抑えられ、オゾン臭を抑制できる。
【００５１】
また、高湿時には常湿時にくらべ湿気が多くイオンはより放出し、オゾンは放出し難くなる効果があり、高湿貯蔵時に適したものになる。
【００５２】
（実施の形態２）
図８は、本発明の実施の形態２による冷蔵庫の断面図である。図９は、同実施の形態の冷蔵庫の正面図である。図１０は同実施の形態の冷蔵庫の制御装置のブロック回路図である。図１１は同実施の形態の冷蔵庫の制御装置のブロック図である。図１２は同実施の形態の冷蔵庫のイオン発生装置の運転のタイムチャートである。
【００５３】
図８、図９において、８２は冷蔵庫本体８１の上部に設けた冷蔵室であり、８３は前記冷蔵室８２の下段に設けられた野菜室である。８４は新温度帯室であるチルド室であり、冷蔵室８２の下部に設けられ、室内を１℃から２℃に維持されている。冷蔵室８２，野菜室８３，チルド室８４によって冷蔵領域を形成している。
【００５４】
７０は高電圧電極装置としてのイオン発生装置であり、高電圧発生回路（図示せず）と出力線７１、針状電極部７２で形成されている。
【００５５】
８５は冷却器、８６は冷却器８５の上方に備えられたファン、８７は冷却器８５やファン８６を備えた冷却器室である。８８は冷却器室８７から上方に向かって形成される往路冷気通路であり、８９は冷蔵室８２の天面から下方に向かって形成された復路冷気通路である。９０は往路冷気通路８８内に配置した冷気量調節装置である。
【００５６】
前記往路冷気通路８８と前記復路冷気通路８９は最上部で連通路９１で連通している。また、冷蔵室８２には複数段に棚９２が備えられおり、往路冷気通路８８に形成された冷気吹出孔９３は各棚９２間に形成され冷気を吐出する。
また、復路冷気通路８９にも棚９２に吐出する吹出孔９４が形成されており冷蔵室内に冷気を吐出する。前記イオン発生装置７０は冷気通路近傍で独立して配置されている。実施例の場合、連通路９１と復路冷気通路８９に囲まれた位置にある。また電極部７２は連通路９１内に配置されている。
【００５７】
９５は吸込孔であり、冷蔵室８２の下方に形成されている。９６は冷気通路部材の前面を覆う化粧板であり、樹脂製材料で形成されている。
【００５８】
図１０、図１１において、１５４は冷気量調節装置の開閉状態の信号を検知する回路などの冷気量調節装置９０の開閉検出手段であり、１５２はマイクロコンピュータ７３などのイオン発生装置運転決定手段であり、１５３は、イオン発生装置７０の運転用電圧回路などのイオン発生装置運転手段である。
【００５９】
以上のような構成において、次に動作について説明する。
【００６０】
冷却器８５で生成した冷気は冷却器室８７よりファン８６で強制的に分配され、冷蔵室８２へ向かう冷気は往路冷気通路８８内に配置した冷気量調節装置９０で分配量を調節して、往路冷気通路８８を上昇し吹出孔９３から冷気が吹出される。
【００６１】
その他の冷気はさらに連通路９１に導かれ、電極部７２から放射されるイオンを含みながら冷気通路の下流側に備えられた吹出孔９４から吐出される。
【００６２】
吐出された冷気は冷蔵室８２内を循環し、臭い成分を含んだ空気を取り込んで吸込孔９５に吸込まれ冷却器室８７へ戻る。また冷蔵室８２と野菜室８３を仕切る仕切板９７の前部に開口された連通孔（図示しない）から野菜室８３に導かれ野菜収納容器９８の周囲を冷却して野菜室背面に備えられた野菜室戻り口９９から、冷蔵室戻り通路１００に連通して冷却器室８７へ戻る。
【００６３】
この時、冷却器室８７へ戻る前に脱臭触媒（図示しない）で臭い成分を吸着し、脱臭される。
【００６４】
そして、清浄された空気は冷却器８５で熱交換し、再びファン８６で強制循環され、上記の冷気循環を繰返す。
【００６５】
また、イオンを発生させる電極部７２が連通路９１内に配置され、吸込孔９５が冷蔵室８２の下方に形成されるので冷蔵室８２上部からイオンを含んだ冷気を冷蔵室８２全体に行き渡らせることができ、各棚９２に置かれた食品の臭い成分を万遍なく取り込むことができる。
【００６６】
また、図１０、図１１、図１２で示すように、イオン発生装置７０を冷気量調節装置９０の開閉と同期運転させている。これは、電極部７２はコロナ放電によってイオンを発生するがこの際オゾンも同時に発生する。
【００６７】
すなわちイオンの発生を増大させるとオゾンの発生量も増大し、このためオゾンの不快な臭いや人体に悪影響を及ぼす可能性もあり、イオン発生装置７０の運転時間を冷気量調節装置９０の開閉と連動して運転を行うことで、イオンは冷気量調節装置９０が開いている時のみ連続的に発生し、かつ冷蔵室８２内に効率的に拡散させることができ、冷蔵室８２全体で食品や、化粧板９６などの庫内壁面、棚９２のイオンによる脱臭効果を維持できる共に、庫内のオゾンの濃度が上昇するのも抑えられ、オゾン臭抑制できる。
【００６８】
また、本形態の実施例の場合、冷気量調節装置９０が開時のみ常にイオン発生装置７０に通電し、閉時は通電しない。しかし、外気温の上昇や冷蔵庫８１内に入れられる食品の負荷及び設定される運転モードにより、冷蔵庫の冷却システムの運転に伴って運転時間が一定時間以上運転される場合、図１３で示すように、冷気量調節装置９０の開時に連動して、イオン発生装置７０をＯＮ／ＯＦＦを繰り返す間欠運転を行う。
【００６９】
これによりイオン及びオゾンの発生量を持続かつ安定化でき、冷蔵室８２全体で食品や、化粧板９６などの庫内壁面、棚９２のイオンによる脱臭効果を維持できる共に、庫内のオゾンの濃度が上昇するのも抑えられ、オゾン臭抑制できる。
【００７０】
（実施の形態３）
図１４は本発明の実施の形態３による冷蔵庫の制御装置のブロック回路図である。図１５は同実施の形態の冷蔵庫の制御装置のブロック図である。図１６は同実施の形態の冷蔵庫のイオン発生装置の運転のタイムチャートである。
【００７１】
図１４、図１５において、１５５は温度センサー１０１などの冷蔵庫庫内の温度を検知する温度検出手段であり、１５１は冷蔵室ファン５７の運転信号を検知する回路などの冷蔵室ファン駆動検出手段であり、１５２はマイクロコンピュータ７３などのイオン発生装置運転決定手段であり、１５３はイオン発生装置７０の運転用電圧回路などのイオン発生装置運転手段である。
【００７２】
以上のような構成において、次に動作について説明する。
【００７３】
図１６で示すように、温度センサー１０１により検知した温度に基づき、冷蔵室５２内の温度Ｔが所定温度Ｔ１より高い場合は、冷蔵室ファン５７の運転に連動しイオン発生装置７０に通電し、連続的にコロナ放電を行うものであり、冷蔵室５２内の温度Ｔが所定温度Ｔ１より低い場合は、冷蔵室ファン５７の運転に連動して、イオン発生装置７０をＯＮ／ＯＦＦを繰り返す間欠運転を行う。
【００７４】
これにより、冷蔵庫５１の外気温条件、食品負荷などによる庫内温度の変動に合わせて、オゾンの発生量を持続かつ一定化でき、庫内のオゾンの濃度が上昇するのも抑えられ、オゾン臭抑制できる。
【００７５】
（実施の形態４）
図１７は本発明の実施の形態４による冷蔵庫の制御装置のブロック回路図である。図１８は同実施の形態の冷蔵庫の制御装置のブロック図である。図１９は同実施の形態の冷蔵庫のイオン発生装置の運転のタイムチャートである。
【００７６】
図１７、図１８において、１５６は湿度センサー１０２などの冷蔵室８２内の温度を検知する湿度検出手段であり、１５１は冷蔵室ファン５７の運転信号を検知する回路などの冷蔵室ファン駆動検出手段であり、１５２はマイクロコンピュータ７３などのイオン発生装置運転決定手段であり、１５３は、イオン発生装置７０の運転用電圧回路などのイオン発生装置運転手段である。
【００７７】
以上のような構成において、次に動作について説明する。
【００７８】
図１９で示すように湿度センサー１０２により検知した湿度に基づき、冷蔵室５２内の湿度Ｓが所定湿度Ｓ１より高い場合は、冷蔵室ファン５７の運転に連動しイオン発生装置７０に通電し、連続的にコロナ放電を行うものであり、冷蔵室５２内の湿度Ｓが所定湿度Ｓ１より低い場合は、冷蔵室ファン５７の運転に連動して、イオン発生装置７０をＯＮ／ＯＦＦを繰り返す間欠運転を行う。
【００７９】
これにより、湿度が高いとイオンはより放出し、オゾンは放出し難くなり、湿度が低いとその逆の傾向を示す特性により、冷蔵庫５１の食品負荷などによる庫内湿度の変動に合わせて、オゾンの発生量を持続かつ一定化すると共に、高湿時にはイオンはより放出し、イオンによる脱臭効果が最適なものになる。
【産業上の利用可能性】
【００８０】
以上のように、本発明の冷蔵庫はマイナスイオン発生装置によるイオンによる脱臭が可能となるので、冷却室を有する冷凍装置に適用することができる。
【符号の説明】
【００８１】
５２，８２  冷蔵室（冷蔵領域）
５５  冷凍室（冷凍領域）
５６，８５  冷却器
５７  冷蔵室ファン（強制通風装置）
６７  吐出冷気通路
７０  イオン発生装置（高電圧電極装置）
８６  ファン（強制通風装置）
８８  連通路（吐出冷気通路）
９０  冷気量調節装置
１５５  温度検知手段
１５６  湿度検知手段
【図１】
2011002227.tif 000003
【図２】
2011002227.tif 000004
【図３】
2011002227.tif 000005
【図４】
2011002227.tif 000006
【図５】
2011002227.tif 000007
【図６】
2011002227.tif 000008
【図７】
2011002227.tif 000009
【図８】
2011002227.tif 000010
【図９】
2011002227.tif 000011
【図１０】
2011002227.tif 000012
【図１１】
2011002227.tif 000013
【図１２】
2011002227.tif 000014
【図１３】
2011002227.tif 000015
【図１４】
2011002227.tif 000016
【図１５】
2011002227.tif 000017
【図１６】
2011002227.tif 000018
【図１７】
2011002227.tif 000019
【図１８】
2011002227.tif 000020
【図１９】
2011002227.tif 000021
【図２０】
2011002227.tif 000022
【図２１】
2011002227.tif 000023
【図２２】
2011002227.tif 000024
【図２３】
2011002227.tif 000025